(57)【特許請求の範囲】
【請求項１】
マンホール(1)の出入り口(2)の内壁面(3)に設けられた固定係止部(4)と協働して蓋(5)の係脱をなすもので、支持体(6)、係止機構(7)及びクリック機構(8)を有し、
該支持体(6)は筒部(61)と取付部(62)を備え、該係止機構(7)の支持用で該蓋(5)に設けられ、
該筒部(61)は該蓋(5)に埋設されて該蓋(5)の表面(51)と裏面(52)に開口し、
該取付部(62)は該筒部(61)の一端にあって該裏面(52)に取り付けられると共に該筒部(61)と反対方向へ突き出た取付片(63)を備え、該取付片(63)に該クリック部(81)が設けられており、
該係止機構(7)は該支持体(6)に定位置で回転自在にかつその係止部(71)が該マンホール(1)の該固定係止部(4)との係合位置に臨出自在に支持されており、
該クリック機構(8)は互いに協働するクリック部(81)と被クリック部(82)で構成され、該クリック部(81)は該支持体(6)に設けられ、該被クリック部(82)は該係止機構(7)に設けられている
ことを特徴とするマンホール用蓋のロック機構。
【請求項２】
該筒部(61)は内部にねじ(64)を備え、該表面(51)側の開口(65)を塞ぐ螺栓(66)が螺合自在となっている請求項１に記載のマンホール用蓋のロック機構。
【請求項３】
該螺栓(66)の操作側の端面は異形ナット(67)に形成されている請求項２に記載のマンホール用蓋のロック機構。
【請求項４】
該取付部(62)は、ボルト(9)を自身の透孔(68)に挿通して該蓋(5)に螺合することにより取付けられて該筒部(61)の回転を阻止している請求項１に記載のマンホール用蓋のロック機構。
【請求項５】
該係止機構(7)はステム(72)と係止片(73)を有し、該ステム(72)は一端に回転用頭部(74)を有しかつ他端部にねじ(75)を備え、該係止片(73)は該ねじ(75)と螺合するねじ孔(76)が穿たれており、該係止片(73)の遊端が該係止部(71)となっている請求項１に記載のマンホール用蓋のロック機構。
【請求項６】
該係止片(73)は該ねじ孔(76)と同軸線上にかつ該ねじ(75)の旋入側に該被クリック部(82)が設けられている請求項５に記載のマンホール用蓋のロック機構。
【請求項７】
該被クリック部(82)は軸線方向にスリット(83)が形成された筒体で、該クリック部(81)は該スリット(83)に嵌合する突条(84)を備えた板材で該突条(84)を該スリット(83)に向けて該取付片(63)に取り付けられている請求項１又は６に記載のマンホール用蓋のロック機構。
【請求項８】
該ステム(72)の該回転用頭部(74)は周縁部に切欠部(77)を有する異形となっている請求項５に記載のマンホール用蓋のロック機構。
【発明の詳細な説明】
【０００１】
【発明の属する技術分野】
本発明は、送電線の地中化工事などの目的で地中に設けられる溝のマンホール用蓋に関し、特にそのマンホール用蓋のロック機構に関するものである。
【０００２】
【従来の技術】
近年、街の景観向上、電柱を減らすことによる歩道の安全確保等を目的とした送電線の地中化工事が実施されるようになってきている。通常、送電線の地中化は、地中に設けられた溝の内部に配線することで実施される。このとき、溝の開口部は配線作業後に塞がれることになるが、工事終了後も維持補修のための溝内部への人の出入りが必要となる。そこで、溝の開口部にはマンホールが設けられ、このマンホールの開口が蓋により塞がれることになる。そして、このマンホール用蓋は、自身が溝内部に落下しないようにその周縁部がマンホールの開口周縁部に係合するように設置されるとともに、その裏面には開口から外れないためのロック機構が設けられる。なお、ロック機構は、何らかの理由により発生した溝内部での爆発により蓋が吹き飛んで周囲の人や物へ被害を与えることを防止するためのものである。
【０００３】
【発明が解決しようとする課題】
しかし、従来のロック機構は、蓋の裏面に突設されたＬ字型の鋼材とマンホール壁面に設けられた突設部とを係合させるのみの構造であった。そのため、例えば蓋上面を通過する車輌等により、蓋に鉛直方向の繰り返し荷重がかかると上記鋼材はＬ字の角部が広がる方向に変形し、時間の経過に伴い充分な係合力を得ることができなくなるという問題があった。また、上記鋼材は、蓋体に対して回動自在にされており、作業員等が溝内部へ入るために蓋を外す際には鋼材を回動させ上記突設部との係合を解除できるようになっているが、蓋に微小振動が加えられると鋼材が少しずつ回動し、時間の経過に伴い係合が解除されてしまうおそれがあった。
【０００４】
そこで、本発明の目的は、蓋に働く繰り返し荷重や微小振動などの外的要因により係合力が低減するおそれのないマンホール用蓋のロック機構を提供することにある。
【０００５】
【課題を解決するための手段】
（請求項１）本発明にかかるマンホール用蓋のロック機構は、マンホールの出入り口の内壁面に設けられた固定係止部と協働して蓋の係脱をなすもので、支持体、係止機構及びクリック機構を有する。該支持体は筒部と取付部を備え、該係止機構の支持用で該蓋に設けられる。該筒部は該蓋に埋設されて該蓋の表面と裏面に開口する。該取付部は該筒部の一端にあって該裏面に取り付けられると共に該筒部と反対方向へ突き出た取付片を備え、該取付片に該クリック部が設けられている。該係止機構は該支持体に定位置で回転自在にかつその係止部が該マンホールの該固定係止部との係合位置に臨出自在に支持されている。そして、該クリック機構は互いに協働するクリック部と被クリック部で構成され、該クリック部は該支持体に設けられ、該被クリック部は該係止機構に設けられている。
【０００６】
このロック機構によれば、マンホールの固定係止部と係合する係止機構と係止機構を支持する支持体とを別体にしたので、係止部分と支持部分とが一体に形成されていた従来のものと比較し、支持体の形状や材質等の選択の自由度を広げることができる。そのため、支持体に強度を持たせ、繰り返し荷重の変形等に帰因する係合力の減少を防止することができる。
【０００７】
蓋の表面と裏面に開口する筒部を備えることで、筒部を通して外部から係止機構を操作することができる。そのため、マンホールの開放が必要な場合には外から係止機構の係合を解除して容易に蓋を外すことができるとともに、作業が終了した際は蓋をした後外側から係止機構を容易に係合状態に戻すことができる。
また、筒部と反対方向へ突き出た取付片は、クリック部の取付部としての機能を果たすとともに、支持体に働く筒部の軸線と同方向（鉛直方向）の力に対する支持体の強度を高める効果をもたらす。そのため、固定係止部と係合状態にある係止機構の基端（係止部の反対側）をこの取付片の先端に配置させると、蓋に鉛直方向の繰り返し荷重がかかって支持体が鉛直方向に上下動した場合に、係止機構の係止部を下げる方向に働く繰り返し荷重に帰因する支持体の変形を防止することができる。
【０００８】
係止機構の固定係止部との係合位置への臨出はクリック機構により規制されるようになっているので、微小振動が加えられた場合でも係合が解除されるような移動を防止できる。なお、クリック機構は支持体に設けられたクリック部と係止機構に設けられた被クリック部とから構成されるので、前記微小振動は支持体を振動させるものの、この支持体の振動はクリック部が被クリック部に対して振動することで吸収される。そのため、微小振動で係止機構が動いて係合が解除されるおそれがない。
更に、係止部は、固定係止部との係合位置に臨出自在に回動するように支持体に支持されているので、この係止部を回動させるだけで係止機構の係合解除を容易に行うことができる。
【０００９】
（請求項２）該筒部は内部にねじを備え、該表面側の開口を塞ぐ螺栓が螺合自在となっていてもよい。
この場合、螺栓で開口を塞ぎ、いたずら等の不正目的で無関係者が係止機構を容易に解除できないようにすることができる。
【００１０】
（請求項３）該螺栓の操作側の端面は異形ナットに形成されていてもよい。
この場合、螺栓は専用工具以外の工具での開放が困難となり、無関係者による係止機構の不正な解除の防止効果を更に高めることができる。
【００１１】
（請求項４）該取付部は、ボルトを自身の透孔に挿通して該蓋に螺合することにより取り付けられて該筒部の回転を阻止していてもよい。
この場合、ロック機構の取付を簡単に行うことができるとともに、係止機構の操作における支持体の係止機構に伴う動きが防止され、係止機構の操作性を向上させることができる。
【００１２】
（請求項５）該係止機構はステムと係止片を有し、該ステムは一端に回転用頭部を有しかつ他端部にねじを備え、該係止片は該ねじと螺合するねじ孔が穿たれており、該係止片の遊端が該係止部となっていてもよい。
この場合、ステムと係止片とが螺着された状態でステムを回動させると、係止片の遊端はステムの軸心を中心とする円軌道上を移動することになる。そのため、この円軌道が固定係止部と交差するように係止機構を配置して、ステムの回動のみで係止機構の係合解除を容易に操作することができる。また、ステムと係止片とは螺着するようになっているので、特別な工具が無くとも現場で容易に組み立てることができる。更に、ステムは回転用頭部を有しているので、係止機構の操作の際にはレンチ等で容易に回動させることができる。
【００１３】
（請求項６）該係止片は該ねじ孔と同軸線上にかつ該ねじの旋入側に該被クリック部が設けられていてもよい。
この場合、ステムと係止片との螺着と同時に被クリック部が固定されることになるので、被クリック部を取り付ける別の工程を必要とせず、組み立て作業をより簡単にできる。
【００１４】
（請求項７）該被クリック部は軸線方向にスリットが形成された筒体で、該クリック部は該スリットに嵌合する突条を備えた板材で該突条を該スリットに向けて該取付片に取り付けられていてもよい。
この場合、突条をスリットに嵌合させることにより係止機構の配置を固定させることができる。また、クリック部は板材で構成されているので、突条がスリットに嵌合した状態にあっても、係止機構をある程度以上の力で回動すると、弾性変形により突条の突出長が低くなって嵌合を解除することができる。そのため、スリットを複数設けると、突条がスリットに嵌合した状態から、嵌合を強制的に一時解除し、別のスリットに再び嵌合させることができる。そして、一つのスリットを係止機構が係合状態になる位置に設け、他のスリットを係止機構の係合が解除される位置に設けることで、係止機構の係合状態及び解除状態を容易に選択することができる。
【００１５】
（請求項８）該ステムの該回転用頭部は周縁部に切欠部を有する異形となっていてもよい。
この場合、ステムは専用工具以外の工具での回動が困難となり、無関係者による係止機構の不正な解除の防止効果を更に高めることができる。また、切欠部の配置で係止機構の状態を把握して係合状態になっているかどうかを容易に確認することができる。
【００１６】
【発明実施の形態】
図１〜３に、本発明に係るマンホール用蓋のロック機構の具体例を示す。図１は同ロック機構の概観を示す斜視図である。図２は同ロック機構の分解斜視図である。図３は同ロック機構の使用状態を示す断面図である。
【００１７】
（請求項１）このロック機構は、マンホール１の出入り口２の内壁面３に設けられた固定係止部４と協働して蓋５の係脱をなすもので、支持体６、係止機構７及びクリック機構８を有する。支持体６は筒部６１と取付部６２を備え、係止機構７の支持用で蓋５に設けられている。筒部６１は蓋５に埋設されて蓋５の表面５１と裏面５２に開口している。取付部６２は筒部６１の一端にあって裏面５２に取り付けられると共に筒部６１と反対方向へ突き出た取付片６３を備えている。取付片６３にはクリック部８１が設けられている。係止機構７は、支持体６に、定位置で回転自在にかつその係止部７１がマンホール１の固定係止部４との係合位置に臨出自在に支持されている。クリック機構８は互いに協働するクリック部８１と被クリック部８２で構成され、クリック部８１は支持体６に設けられ、被クリック部８２は係止機構７に設けられている。
【００１８】
このロック機構によれば、マンホール１の固定係止部４と係合する係止機構７と係止機構７を支持する支持体６とを別体にしたので、係止部分と支持部分とが一体に形成されていた従来のものと比較し、支持体６の形状や材質等の選択の自由度を広げることができる。そのため、支持体６に強度を持たせ、繰り返し荷重の変形等に帰因する係合力の減少を防止することができる。
【００１９】
また蓋５の表面５１と裏面５２に開口する筒部６１を備えることで、筒部６１を通して外部から係止機構７を操作することができる。そのため、マンホール１の開放が必要な場合には外から係止機構７の係合を解除して容易に蓋５を外すことができるとともに、作業が終了した際は蓋５を取り付けた後外側から係止機構７を容易に係合状態に戻すことができる。
更に、筒部６１と反対方向へ突き出た取付片６３は、クリック部８１の取付部としての機能を果たすとともに、支持体６に働く筒部６１の軸線と同方向（鉛直方向）の力に対する支持体６の強度を高める効果をもたらす。そのため、固定係止部４と係合状態にある係止機構７の基端（係止部７１の反対側）をこの取付片６３の先端に配置させると、蓋５に鉛直方向の繰り返し荷重がかかって支持体６が鉛直方向に上下動した場合に、係止機構７の係止部７１を下げる方向に働く繰り返し荷重に帰因する支持体６の変形を防止することができる。
【００２０】
係止機構７の固定係止部４との係合位置への臨出はクリック機構８により規制されるようになっているので、微小振動が加えられた場合でも係合が解除されるような移動を防止できる。なお、クリック機構８は支持体６に設けられたクリック部８１と係止機構に設けられた被クリック部８２とから構成されるので、前記微小振動は支持体６を振動させるものの、この支持体６の振動はクリック部８１が被クリック部８２に対して振動することで吸収される。そのため、微小振動で係止機構７が動いて係合が解除されるおそれがない。
更に、係止部７１は、固定係止部４との係合位置に臨出自在に回動するように支持体６に支持されているので、この係止部７１を回動させるだけで係止機構の係合解除を容易に行うことができる。
【００２１】
（請求項２）筒部６１は内部にねじ６４を備え、表面５１側の開口６５を塞ぐ螺栓６６が螺合自在となっている。
こうすると、螺栓６６で開口６５を塞ぎ、いたずら等の不正目的で無関係者が係止機構７を容易に解除できないようにすることができる。
【００２２】
（請求項３）螺栓６６の操作側の端面は異形ナット６７に形成されている。
こうすると、螺栓６６は専用工具以外の工具での開放が困難となり、無関係者による係止機構７の不正な解除の防止効果を更に高めることができる。
【００２３】
（請求項４）取付部６２は、ボルト９を自身の透孔６８に挿通して蓋５に螺合することにより取り付けられて筒部６１の回転を阻止している。
こうすると、ロック機構の取付を簡単に行うことができるとともに、係止機構７の操作における支持体６の係止機構７に伴う動きが防止され、係止機構７の操作性を向上させることができる。
【００２４】
（請求項５）係止機構７はステム７２と係止片７３を有している。ステム７２は一端に回転用頭部７４を有しかつ他端部にねじ７５を備えている。係止片７３はねじ７５と螺合するねじ孔７６が穿たれており、この係止片７３の遊端が前記係止部７１となっている。
こうすると、ステム７２と係止片７３とが螺着された状態でステム７２を回動させた場合、係止片７３の遊端はステム７２の軸心を中心とする円軌道上を移動することになる。そのため、この円軌道が固定係止部４と交差するように係止機構７を配置して、ステム７２の回動のみで係止機構７を容易に操作することができる。また、ステム７２と係止片７３とは螺着するようになっているので、特別な工具が無くとも現場で容易に組み立てることができる。更に、ステム７２は回転用頭部７４を有しているので、係止機構７の操作の際にはレンチ等で容易に回動させることができる。
【００２５】
（請求項６）係止片７３はねじ孔７６と同軸線上にかつねじ７５の旋入側に被クリック部８２が設けられている。
こうすると、ステム７２と係止片７３との螺着と同時に被クリック部８２が固定されることになるので、被クリック部８２を取り付ける別の工程を必要とせず、組み立て作業をより簡単にできる。
【００２６】
（請求項７）被クリック部８２は軸線方向にスリット８３が形成された筒体で、クリック部８１はスリット８３に嵌合する突条８４を備えた板材で突条８４をスリット８３に向けて取付片６３に取り付けられている。
こうすると、突条８４をスリット８３に嵌合させることにより係止機構７の配置を固定させることができる。また、クリック部８１は板材で構成され弾性変形するので、突条８４がスリット８３に嵌合した状態にあっても、係止機構７をある程度以上の力で回動すると、弾性変形により突条８４の突出長が低くなり嵌合を解除することができる。そのため、スリット８３を複数設けると、突条８４がスリット８３に嵌合した状態から、嵌合を強制的に一時解除し、別のスリット８３に再び嵌合させることができる。そして、一つのスリット８３を係止機構７が係合状態になる位置に設け、他のスリット８３を係止機構７の係合が解除される位置に設けることで、係止機構７の係合状態及び解除状態を容易に選択することができる。
【００２７】
（請求項８）ステム７２の回転用頭部７４は周縁部に切欠部７７を有する異形となっている。
こうすると、ステム７２は専用工具以外の工具での回転が困難となり、無関係者による係止機構の不正な解除の防止効果を更に高めることができる。また、切欠部７７の配置で係止機構７の状態を把握して係合状態になっているかどうかを容易に確認することができる。
【００２８】
なお、図面で、９１はワッシャー、９２は押ねじでねじ７５に圧接してステム７２の回転を阻止するためのものである。９３はアンカーボルト、９４はマンホール１の固定用ナットである。
【００２９】
【発明の効果】
（請求項１）本発明によれば、係止部分と支持部分とが一体に形成されていた従来のものと比較し、支持体の形状や材質等の選択の自由度を広げることができる。そのため、支持体に強度を持たせ、繰り返し荷重の変形等に帰因する係合力の減少を防止することができる。そして、マンホールの開放が必要な場合には外から係止機構の係合を解除して容易に蓋を外すことができるとともに、作業が終了した際は蓋をした後外側から係止機構を容易に係合状態に戻すことができる。また、筒部と反対方向へ突き出た取付片は、クリック部の取付部としての機能を果たすとともに、支持体に働く筒部の軸線と同方向（鉛直方向）の力に対する支持体の強度を高める効果をもたらす。そのため、固定係止部と係合状態にある係止機構の基端（係止部の反対側）をこの取付片の先端に配置させると、蓋に鉛直方向の繰り返し荷重がかかって支持体が鉛直方向に上下動した場合に、係止機構の係止部を下げる方向に働く繰り返し荷重に帰因する支持体の変形を防止することができる。また、微小振動が加えられた場合でも係合が解除されるような移動を防止できる。更に、係止部を回動させるだけで係止機構の係合解除を容易に行うことができる。
【００３０】
請求項２によれば、螺栓で開口を塞ぎ、いたずら等の不正目的で無関係者が係止機構を容易に解除できないようにすることができる。
【００３１】
請求項３によれば、螺栓は専用工具以外の工具での開放が困難となり、無関係者による係止機構の不正な解除の防止効果を更に高めることができる。
【００３２】
請求項４によれば、ロック機構の取付を簡単に行うことができるとともに、係止機構の操作における支持体の係止機構に伴う動きが防止され、係止機構の操作性を向上させることができる。
【００３３】
請求項５によれば、ステムと係止片とが螺着された状態でステムを回動させると、係止片の遊端はステムの軸線を中心とする円軌道上を移動することになる。そのため、この円軌道が固定係止部と交差するように係止機構を配置して、ステムの回動のみで係止機構を容易に操作することができる。また、ステムと係止片とは螺着するようになっているので、特別な工具が無くとも現場で容易に組み立てることができる。更に、ステムは回転用頭部を有しているので、係止機構の操作の際にはレンチ等で容易に回動させることができる。
【００３４】
請求項６によれば、ステムと係止片との螺着と同時に被クリック部が固定されることになるので、被クリック部を取り付ける別の工程を必要とせず、組み立て作業をより簡単にできる。
【００３５】
請求項７によれば、突条をスリットに嵌合させることにより係止機構の配置を固定させることができる。また、クリック部は板材で構成され弾性変形するので、突条がスリットに嵌合した状態にあっても、係止機構をある程度以上の力で回動すると、弾性変形により突条の突出長が低くなり嵌合を解除することができる。そのため、スリットを複数設けると、突条がスリットに嵌合した状態から、嵌合を強制的に一時解除し、別のスリットに再び嵌合させることができる。そして、一つのスリットを係止機構が係合状態になる位置に設け、他のスリットを係止機構の係合が解除される位置に設けることで、係止機構の係合状態及び解除状態を容易に選択することができる。
【００３６】
請求項８によれば、ステムは専用工具以外の工具での回転が困難となり、無関係者による係止機構の不正な解除の防止効果を更に高めることができる。また、切欠部の配置で係止機構の状態を把握して係合状態になっているかどうかを容易に確認することができる。
【図面の簡単な説明】
【図１】本発明に係るマンホール用蓋のロック機構の概観を示す斜視図である。
【図２】同ロック機構の分解斜視図である。
【図３】同ロック機構の使用状態を示す断面図である。
【符号の説明】
１           マンホール
２           出入り口
３           内壁面
４           固定係止部
５           蓋
６           支持体
７           係止機構
８           クリック機構
９           ボルト
６１       筒部
６２       取付部
６３       取付片
６４       ねじ
６５       開口
６６       螺栓
７１       係止部
７２       ステム
７３       係止片
７４       回転用頭部
７５       ねじ
７６       ねじ孔
７７       切欠部
８１       クリック部
８２       被クリック部
８３       スリット
８４       突条
【図１】
0004636481.tif 000002
【図２】
0004636481.tif 000003
【図３】
0004636481.tif 000004